(57)【要約】【課題】  本発明は、構造的な要因によるエコーを低減すると共に、スピーカからの音声出力の必要な音質及び周波数特性を確保することを課題とする。【解決手段】  本発明の通信端末装置は、スピーカ部５からの音声出力が音声入力部へ伝達されないように遮蔽するクッション１０と、クッション１０により遮蔽された部屋内でスピーカ部５から音声出力が出力される発音側の空気圧と、スピーカ部５に対して発音側と反対側の空気圧とが等しくなるように調整するエア抜き穴とを備えたものである。【選択図】        図１
2005159869.tif 000002
【特許請求の範囲】
【請求項１】
音声入力部から入力された送信すべき情報を送信処理して無線通信を介して送信すると共に、無線通信を介して受信した情報を受信処理して音声出力部から出力する通信端末装置において、
上記音声出力部からの音声出力が上記音声入力部へ伝達されないように遮蔽する遮蔽手段と、
上記遮蔽手段により遮蔽された部屋内で上記音声出力部から音声出力が出力される発音側の空気圧と、上記音声出力部に対して上記発音側と反対側の空気圧とが等しくなるように調整する調整手段と、
を備えたことを特徴とする通信端末装置。
【請求項２】
請求項１記載の通信端末装置において、
上記遮蔽手段は筐体及び弾性部材を用いて遮蔽するものであることを特徴とする通信端末装置。
【請求項３】
請求項１載の通信端末装置において、
上記調整手段は上記遮蔽手段により遮蔽された部屋に設けられた穴を用いるものであることを特徴とする通信端末装置。
【請求項４】
音声入力部から入力された送信すべき情報を送信処理して無線通信を介して送信すると共に、無線通信を介して受信した情報を受信処理して音声出力部から出力する通信端末装置を用いた通信方法において、
上記音声出力部からの音声出力が上記音声入力部へ伝達されないように遮蔽手段により遮蔽するステップと、
上記遮蔽手段により遮蔽された部屋内で上記音声出力部から音声出力が出力される発音側の空気圧と、上記音声出力部に対して上記発音側と反対側の空気圧とが等しくなるように調整手段により調整するステップと、
を備えたことを特徴とする通信方法。
【請求項５】
請求項４記載の通信方法において、
上記遮蔽手段は筐体及び弾性部材を用いて遮蔽するものであることを特徴とする通信方法。
【請求項６】
請求項４記載の通信方法において、
上記調整手段は上記遮蔽手段により遮蔽された部屋に設けられた穴を用いるものであることを特徴とする通信方法。
【発明の詳細な説明】
【技術分野】
【０００１】
本発明は、エコー低減機能を有する通信端末装置および通信方法に関する。
【背景技術】
【０００２】
特許文献1には、電話機のハイブリッド回路に起因するエコーを、簡単で安価な構成により、除去ないし低減するために、送話信号の信号ライン及び受話信号の信号ラインと、電話回線とを接続するハイブリッド回路とを有する電話機のエコー低減装置において、エコー処理回路を設け、エコー処理回路は、所定の遅延時間の遅延回路と、所定の周波数特性及びレベル特性の伝達関数制御回路と、減算回路とから構成し、ハイブリッド回路により生じる送話信号のエコー信号の重畳された受話信号を、ハイブリッド回路から減算回路に供給し、送話信号を、遅延回路及び伝達関数制御回路を通じて減算回路に供給し、減算回路からエコー信号の除去ないし低減されて受話信号を取り出す電話機のエコー低減装置が開示されている。
【０００３】
【特許文献１】特開平7-58828号公報
【発明の開示】
【発明が解決しようとする課題】
【０００４】
上述した特許文献１に示した電話機では、信号処理のみでエコー低減を図ろうとしていたので、スピーカから出力される受話側の相手の音声出力が筐体内を伝達してマイクに入力されて、送話側の自分の音声入力に重畳されるという構造的な要因によるエコーを低減することができず、また、必要な音質が得られないため音質の低下を招いていたという不都合があった。
【０００５】
そこで、本発明は、構造的な要因によるエコーを低減すると共に、スピーカからの音声出力の必要な音質及び周波数特性を確保することができる通信端末装置および通信方法を提供することを課題とする。
【課題を解決するための手段】
【０００６】
上記課題を解決し、本発明の目的を達成するため、本発明の通信端末装置は、音声出力部からの音声出力が音声入力部へ伝達されないように遮蔽する遮蔽手段と、遮蔽手段により遮蔽された部屋内で音声出力部から音声出力が出力される発音側の空気圧と、音声出力部に対して発音側と反対側の空気圧とが等しくなるように調整する調整手段とを備えたものである。
【０００７】
これにより、遮蔽手段は音声出力部からの音声出力が音声入力部へ伝達されないように遮蔽するので、構造的な要因によるエコーを低減することができる。また、調整手段は遮蔽手段により遮蔽された部屋内で音声出力部から音声出力が出力される発音側の空気圧と、音声出力部に対して発音側と反対側の空気圧とが等しくなるように調整するので、音声出力部の振動状態を良好にして必要な音質及び周波数特を得ることができる。
【０００８】
また、本発明の通信方法は、音声出力部からの音声出力が音声入力部へ伝達されないように遮蔽手段により遮蔽するステップと、遮蔽手段により遮蔽された部屋内で音声出力部から音声出力が出力される発音側の空気圧と、音声出力部に対して発音側と反対側の空気圧とが等しくなるように調整手段により調整するステップとを備えたものである。
【０００９】
これにより、遮蔽手段は音声出力部からの音声出力が音声入力部へ伝達されないように遮蔽するので、構造的な要因によるエコーを低減する処理をすることができる。また、調整手段は遮蔽手段により遮蔽された部屋内で音声出力部から音声出力が出力される発音側の空気圧と、音声出力部に対して発音側と反対側の空気圧とが等しくなるように調整するので、音声出力部の振動状態を良好にして必要な音質及び周波数特を得る処理をすることができる。
【発明の効果】
【００１０】
本発明の通信端末装置によれば、構造的な要因によるエコーを低減し、また、音声出力部の振動状態を良好にして必要な音質及び周波数特を得ることにより、通信端末装置の通信の品質を向上させることができる。
【００１１】
また、本発明の通信方法によれば、構造的な要因によるエコーを低減し、また、音声出力部の振動状態を良好にして必要な音質及び周波数特を得ることにより、通信処理の品質を向上させることができる。
【発明を実施するための最良の形態】
【００１２】
図１は、本発明の実施の形態の通信装置が適用される携帯端末装置の外観図であり、図１Ａは前面部表を示す正面図、図１ＢはX-X`左断面図、図１ＣはX-X`右断面図、図１Ｄは前面部裏を示す裏面図である。
【００１３】
図1に示す携帯端末装置はいわゆるジャック式の構造になっており、図１Ａに示す前面部１の表面を図１Ｄに示す後面部１に対して結合部３を介して矢印方向に回転させることで、開いた状態に移行することができる。図１は閉じた状態である。スピーカ部及びマイク部を用いた通話モードは閉じた状態で使用可能である。
【００１４】
図１Ａに示す前面部１の表面の１３はユーザの押圧操作により発信操作やメール編集、その他所定の操作を可能にするための入力キーである。入力キー1３に対するユーザの押圧操作により携帯端末装置１５は通話モードに移行する。
【００１５】
図１Ａに示す１４はユーザの回転及び押下操作が可能なジョグダイヤルであり、例えばメールの編集などの各種操作のための入力が可能である。４は各種操作情報や状態を表示する表示部である。５はスピーカ部であり、通話時に前面部表面の筐体に貫通された発音穴１１から音声出力を出力する。
【００１６】
図１Ｂに示す左断面及び図１Ｃに示す右断面の前面部１は結合部３を介して後面部２と結合されている。前面部１では、パネル７の前面に表示部４が支持され、パネル７の背面に基板８が支持されて、パネル７は筐体に固定される。基板８には表示部４の駆動回路及びスピーカ部５の駆動回路が配置されている。スピーカ部５は基板８の先端部に固定して接続され、通話時に前面部表面の筐体に貫通された発音穴１１から音声出力を出力する。
【００１７】
ここで、基板８上に弾性部材のクッション１０を設けて、前面部背面の筐体に設けられたリブ９と基板８とでクッション１０を挟み込むようにして、スピーカ部５の音声出力が筐体内を伝達しないように遮蔽する。
【００１８】
また、クッション１０で遮蔽されたスピーカ部５の部屋内でスピーカ部５から音声出力が出力される発音側の空気圧と、スピーカ部５に対して発音側と反対側の空気圧とが等しくなるようにエア抜き穴１２を設ける。ここでエア抜き穴１２は、予め測定された両側の空気圧に応じて穴の位置、大きさ及び数が決定される。両側の空気圧が等しくなったとき、スピーカ部５の振動板の振動が良好になる。
【００１９】
また、図１Ｂに示す左断面及び図１Ｃに示す右断面の後面部２には結合部３の近くにマイク部６が設けられている。マイク部６は、開放状態及び遮蔽状態で共にスピーカ部５から一定距離だけ離れるような位置に設けられている。上述したクッション１０によりスピーカ部５の部屋内が遮蔽されるので、スピーカ部５の音声出力が筐体内を伝達してマイク部６に入力することがない。
【００２０】
図１Ｄに示す前面部１の裏面は前面部１を後面部２に対して結合部３を介して回転させた開いた状態である。前面部１の裏面には、点線で示すスピーカ部５の音声出力が筐体内を伝達しないように、点線及び斜線で示すように前面部１の筐体内の全幅にわたって弾性部材のクッション１０を設けて、スピーカ部５の部屋を遮蔽する。
【００２１】
また、点線で示すスピーカ部にほぼ対応する位置にクッション１０で遮蔽されたスピーカ部５の部屋内でスピーカ部５から音声出力が出力される発音側の空気圧と、スピーカ部５に対して発音側と反対側の空気圧とが等しくなるようにエア抜き穴１２を設ける。
【００２２】
図２は、本発明の実施の形態の通信端末装置が適用される携帯端末装置の構成を示すブロック図である。この携帯端末装置は、例えば、W−CDMA（Wideband‐Code Division Multiple Access）方式に適用可能な構成を想定している。
【００２３】
送信時には、通信処理部２３において、レイヤ１（物理レイヤ）が処理を行うデータの基本単位（MAC（Medium Access Control）レイヤからレイヤ１にデータが転送される単位）であるトランスポートブロック（TB：Transport Block）毎にブロック誤りを検出するためのCRC（Cyclic Redundancy Check）符号を付加後、チャンネル符号化（誤り訂正符号化）及びインターリーブされる。
【００２４】
インターリーブ後のビット系列は、チャンネル推定のためのパイロットビット等のオーバーヘッドを付加された後、データ変調される。データ変調マッピングされた位相平面上の同相及び直交成分は、それぞれ２階層の拡散符号系列で拡散される。
【００２５】
拡散後のチップデータ系列は、自乗余弦ルートナイキストフィルタで５MHZ帯域に帯域制限された後、D/A変換器でアナログ信号に変換後、直交変換される。ＲＦ処理部２２において直交変換された中間周波数信号はさらに２GHZ帯のRF信号に周波数変換後、電力増幅されてアンテナ２１を介して無線通信により送信される。
【００２６】
受信時には、図２において、携帯端末装置にアンテナ２１を介して無線通信により入力した受信信号は、RF処理部２２において低雑音増幅器で増幅され、高周波数から中間周波数に周波数変換された後、自動利得制御増幅器で線形増幅される。
【００２７】
また、通信処理部２３において、増幅後の信号は直交検波されて、同相及び直交成分を生じる。この同相及び直交成分のアナログ信号は、A/D変換器でディジタル信号に変換される。さらにディジタル値変換された同相及び直交成分はルートナイキストフィルタで帯域制限後、拡散された受信信号の拡散符号と同一の拡散符号で、逆拡散することにより、伝搬遅延時間の異なる複数のマルチパス成分に時間分離される。
【００２８】
時間分離されたパスはコヒーレントレイク合成され、レイク合成後のデータ系列は、デインターリーブ及びチャネル復号による誤り訂正復号の後、２値のデータ判定が行われ、送信データ系列が再生される。再生データ系列から各トランスポートチャネルへの分離およびブロック誤りの検出が行われ、再生データが出力される。
【００２９】
出力された再生データは制御部２５の上位レイヤのアプリケーションソフトウエア処理部に転送される。ユーザがキー入力部２４にキー入力することにより、制御部２５の上位レイヤのアプリケーションソフトウエア処理部は表示部２６に再生データおよび再生状態の表示を行う。
【００３０】
マイク部２８の音声入力手段で入力された音声情報は制御部２５のメモリに取り込まれた後に表示部２６に送信状態が表示され、通信処理部２３により符号化された後にＲＦ処理部２２により周波数変換されて送信される。また、受信された音声信号はＲＦ処理部２２により周波数変換されて、通信処理部２３により復号化された後に制御部２５のメモリに取り込まれた後に表示部２６に受信状態が表示され、スピーカ部２７の音声出力手段から音声出力される。このスピーカ部２７は図１に示したスピーカ部５に対応し、マイク部２８は図１に示したマイク部６に対応する。
【００３１】
上述した携帯端末装置のスピーカ部２７及びマイク部２８において、本発明の実施の形態の通信装置が適用される。以下、この通信装置について説明する。
図３は、本発明の実施の形態が適用される携帯端末装置の動作を示す図である。
図３において、前面部１ではスピーカ部５の音声出力が点線で示すように筐体内を伝達してマイク部２８に入力しないように、前面部１の筐体内の全幅及び全厚さにわたって弾性部材のクッション１０を設けて、スピーカ部５の部屋を遮蔽する。クッション１０は筐体、基板、指示部材などのほかに筐体内で生じる空間を遮蔽するように設けてもよいし、筐体、基板、指示部材などとは別に筐体内の全幅及び全厚さにわたって設けてもよい。
【００３２】
また、クッション１０で遮蔽されたスピーカ部５の部屋内でスピーカ部５から音声出力が出力される発音側の空気圧と、スピーカ部５に対して発音側と反対側の空気圧とが等しくなるようにスピーカ部の後方位置にエア抜き穴１２を設ける。
【００３３】
後面部２に設けられる受信部３１で受信された音声信号は制御部２５のDSP（Digital Signal Processor）３２によりエコー低減のための信号処理が施された後に、スピーカ部２７から音声出力される。DSP３２によるエコー低減のための信号処理は、従来技術と同様のものでよい。受信部３１は図2に示したＲＦ処理部２２及び通信処理部23により構成される。
【００３４】
ここで、前面部１の筐体内の全幅及び全厚さにわたって弾性部材のクッション１０を設けて、スピーカ部５の部屋を遮蔽することにより、スピーカ部５の音声出力が点線で示すように筐体内を伝達してマイク部２８に入力しないため、エコーを低減することができる。また、クッション１０で遮蔽されたスピーカ部５の部屋内でスピーカ部５から音声出力が出力される発音側の空気圧と、スピーカ部５に対して発音側と反対側の空気圧とが等しくなるようにスピーカ部の後方位置にエア抜き穴１２を設けることにより、スピーカ部５の振動板の振動を良好にすることができる。
【００３５】
マイク部２８に入力されたエコー低減音声信号は制御部２５のDSP３２で所定の信号処理が施された後に、送信部３３から送信される。送信部３３は図2に示したＲＦ処理部２２及び通信処理部23により構成される。
【００３６】
このように、上述したクッション１によるスピーカ部５の遮蔽及びエア抜き穴１2による空気圧の調整をDSP３２によるエコー低減のための信号処理と共に用いることにより、より一層のエコー低減の効果を得ることができる。
【００３７】
図４は、携帯端末装置の前面部におけるスピーカ部、クッション及びエア抜き穴の配置例を示す図であり、図４Ａはクッション側、図４Ｂはエア抜き穴側である。前面部は図1に示した前面部１に対応する。
図４Aに示すクッション側の前面部表側筐体４１には、パネル７の裏面に基板８が配置され、基板8の先端にスピーカ部５が固定して配置される。スピーカ部５に対応する位置の前面部表側筐体41には発音穴１１が設けられる。基板8の上にはスピーカ部５の音声出力が下方の前面部表側筐体41に伝達されないように前面部表側筐体41の全幅にわたってクッション１０が設けられる。これにより、スピーカ部５がクッション１０及び前面部表側筐体41により遮蔽される。
【００３８】
図４Bに示すエア抜き穴側の前面部裏側筐体４２には、図４Aに示したクッション側の前面部表側筐体４１に設けられたクッション１０に対応する位置にリブ９が設けられる。このリブ9及び基板8とでクッション１０を挟むように固定される。また、前面部裏側筐体４２には、図４Aに示したクッション側の前面部表側筐体４１に設けられたスピーカ部５に対応する位置にクッション１０で遮蔽されたスピーカ部５の部屋内でスピーカ部５から音声出力が出力される発音側の空気圧と、スピーカ部５に対して発音側と反対側の空気圧とが等しくなるようにエア抜き穴１２が配置される。
【００３９】
図５は、携帯端末装置の後面部における制御部及びマイク部の配置例を示す図であり、図５Ａは制御部側、図５Ｂはマイク部側である。後面部は図1に示した後面部２に対応する。
図５Ａに示す制御部側の後面部裏側筐体５１には、制御部２５が配置される。図５Bに示すマイク部側の後面部表側筐体５２には、結合部３及びマイク部６が配置される。マイク部６は、結合部３の横にされ、配置後面部裏側筐体５１に設けられた切欠きを有する円形のリブ５３にクッションを介して支持される。
【図面の簡単な説明】
【００４０】
【図１】本発明の実施の形態の通信装置が適用される携帯端末装置の外観図であり、図１Ａは前面部表を示す正面図、図１ＢはX-X`左断面図、図１ＣはX-X`右断面図、図１Ｄは前面部裏を示す裏面図である。
【図２】本発明の実施の形態が適用される携帯端末装置の構成を示すブロック図である。
【図３】本発明の実施の形態が適用される携帯端末装置の動作を示す図である。
【図４】携帯端末装置の前面部におけるスピーカ部、クッション及びエア抜き穴の配置例を示す図であり、図４Ａはクッション側、図４Ｂはエア抜き穴側である。
【図５】携帯端末装置の後面部における制御部及びマイク部の配置例を示す図であり、図５Ａは制御部側、図５Ｂはマイク部側である。
【符号の説明】
【００４１】
１…前面部、２…後面部、３…結合部、４…表示部、５…スピーカ部、６…マイク部、７…パネル、８…基板、９…リブ、１０…クッション、１１…発音穴、１２…エア抜き穴、１３…入力キー、１４…ジョグダイヤル、１５…携帯端末装置、２１…アンテナ、２２…ＲＦ処理部、２３…通信処理部、２４…キー入力部、２５…制御部、２６…表示部、２７…スピーカ部、２８…マイク部、３１…受信部、３２…DSP、３３…送信部、４１…前面部表側筐体、４２…前面部裏側筐体、５１…後面部裏側筐体、５２…後面部表側筐体、５３…リブ
【図１】
2005159869.tif 000003
【図２】
2005159869.tif 000004
【図３】
2005159869.tif 000005
【図４】
2005159869.tif 000006
【図５】
2005159869.tif 000007